(57)【要約】【課題】解体作業の安全対策にあたり、より大規模な屋根構造体の解体作業においても作業量やコストの増加を抑制し得る建物の屋根を解体する方法を提供する。【解決手段】解体される建物１は、複数のトラス部材を組み合わせて構成された屋根構造体３と、屋根構造体３の鉛直方向の荷重を受ける支持構造体２と、を備える。第１解体工程Ｓ１は、第２支持トラスの第２支持端を含む仮想基準線と作業辺部７Ａとの間に形成される第１解体対象領域ＦＤに含まれるトラス部材を取り除く工程である。第１解体対象領域ＦＤは、第１支持端を含まないように指定される。第２解体工程Ｓ２は、第１解体工程Ｓ１の後に実施され、第１支持端を含む第２解体対象領域ＳＤに含まれるトラス部材を取り除く。【選択図】図３
2018150753.tif 000002
【特許請求の範囲】
【請求項１】
建物の屋根を解体する方法であって、
前記建物は、
複数の構造部材を組み合わせて構成された屋根構造体と、
前記屋根構造体の鉛直方向の荷重を受けるように前記屋根構造体に連結された支持構造体と、を備え、
解体中の前記屋根構造体は、前記支持構造体に連結されて支持力を受ける少なくとも一つの支持辺部と、前記支持辺部とは別の作業辺部と、を含み、
前記構造部材により形成されると共に、前記支持辺部を構成する第１支持端を含む第１支持部と、前記構造部材により形成されると共に、前記支持辺部を構成し前記第１支持端よりも前記作業辺部から離れている第２支持端を含む第２支持部と、を指定する工程であって、前記第１支持部及び前記第２支持部は前記作業辺部から離れる方向に延びる、前記指定する工程と、
前記第２支持部の第２支持端を含む仮想基準線と前記作業辺部との間に形成される第１解体対象領域に含まれる前記構造部材を取り除く工程であって、前記第１解体対象領域は、前記第１支持部の第１支持端を含まない第１解体工程と、
前記第１解体工程の後に実施され、前記第１支持端を含む第２解体対象領域に含まれる前記構造部材を取り除く第２解体工程と、を有する建物の屋根を解体する方法。
【請求項２】
前記第１解体工程は、
前記第１解体対象領域を複数の領域部に分割する工程と、
前記複数の領域部ごとに前記構造部材を取り除く工程と、を有する、請求項１に記載の建物の屋根を解体する方法。
【請求項３】
前記第１解体対象領域は、前記第１支持部と前記作業辺部との間に形成される領域部における前記構造部材を取り除く工程をさらに含む、請求項２に記載の建物の屋根を解体する方法。
【発明の詳細な説明】
【技術分野】
【０００１】
本発明は、建物の屋根を解体する方法に関する。
【背景技術】
【０００２】
屋根構造体の解体作業にあっては、構造荷重を負担していた構造物を順次除去する。従って、構造物の状態は不安定になる傾向にあるので、構造物を安定して解体できるように安全対策が施される。例えば、屋根構造体の下方に仮設構造物を構築し、屋根構造体の荷重を当該仮設構造物によって支持しながら解体を進める方法がある。
【先行技術文献】
【特許文献】
【０００３】
【特許文献１】特開平１１−４４１０４号公報
【発明の概要】
【発明が解決しようとする課題】
【０００４】
しかし、仮設構造物を用いる場合には、それらを構築するために時間や費用が増大する。そこで、特許文献１には、仮設構造物を利用することなく安全にドーム屋根を解体するドーム屋根の解体方法が開示されている。
【０００５】
当該分野においては、より大規模な屋根構造体の解体作業が行われることがある。このような解体作業において、仮設構造物を利用することは、より大きな時間や費用を要してしまう。そこで、本発明は、解体作業の安全対策にあたり、より大規模な屋根構造体の解体作業においても作業量やコストの増加を抑制し得る建物の屋根を解体する方法を提供する。
【課題を解決するための手段】
【０００６】
本発明の一形態は、建物の屋根を解体する方法である。建物は、複数の構造部材を組み合わせて構成された屋根構造体と、屋根構造体の鉛直方向の荷重を受けるように屋根構造体に連結された支持構造体と、を備え、解体中の屋根構造体は、支持構造体に連結されて支持力を受ける少なくとも一つの支持辺部と、支持辺部とは別の作業辺部と、を含む。
解体する方法は、構造部材により形成されると共に、支持辺部を構成する第１支持端を含む第１支持部と、構造部材により形成されると共に、支持辺部を構成し第１支持端よりも作業辺部から離れている第２支持端を含む第２支持部と、を指定する工程であって、第１支持部及び第２支持部は作業辺部から離れる方向に延びる、指定する工程と、第２支持部の第２支持端を含む仮想基準線と作業辺部との間に形成される第１解体対象領域に含まれる構造部材を取り除く工程であって、第１解体対象領域は、第１支持部の第１支持端を含まない第１解体工程と、第１解体工程の後に実施され、第１支持端を含む第２解体対象領域に含まれる構造部材を取り除く第２解体工程と、を有する。
【０００７】
解体方法は、屋根構造体を構成する構造部材を除去するに際し、斜めトラスをいわゆる火打ちとして機能させることにより、解体中の屋根構造体の強度低下を抑制する。まず、第１解体工程において、屋根構造体の強度への寄与度が高い領域の構造部材を残すように構造部材を取り除く。そうすると、取り除いた構造部材だけ屋根構造体が軽くなる。屋根構造体の質量が減少すると、取り除いても差支えがない構造部材が現れる。そこで、第２解体工程において、差支えがない構造部材を除去することができる。これらの工程を繰り返し行うことにより、屋根構造体への強度低下を抑制しながら解体作業を進めることが可能になる。そうすると、解体中の屋根構造体を支持するための仮設構造を構築することなく、より大規模な屋根構造体の解体することが可能になる。従って、作業量やコストの増加をすることができる。
【０００８】
第１解体工程は、第１解体対象領域を複数の領域部に分割する工程と、複数の領域部ごとに構造部材を取り除く工程と、を有してもよい。この方法によれば、屋根構造体を容易に解体することができる。
【０００９】
第１解体対象領域は、第１支持部と作業辺部との間に形成される領域部における構造部材を取り除く工程をさらに含んでもよい。この方法によれば、支持端近傍における構造部材が取り除かれる。余分な構造部材が取り除かれると支持端が負担する荷重が低減されるので、さらに屋根構造体が安定化する。従って、解体作業がさらに容易になる。
【発明の効果】
【００１０】
本発明によれば、解体中の屋根構造体における状態を安定に保ちながら解体作業を進めることが可能な建物の屋根を解体する方法が提供される。
【図面の簡単な説明】
【００１１】
【図１】図１は、本実施形態に係る解体方法が適用される建物を概略的に示す斜視図である。
【図２】図２の（ａ）部は、図１に示された屋根構造体を平面視した図であり、図２の（ｂ）部は屋根構造体を正面視した図である。
【図３】図３は、本実施形態に係る解体方法の主要な工程を示すフロー図である。
【図４】図４の（ａ）部は第１解体ステップにおける支持トラスを指定する工程を示す平面図であり、図４の（ｂ）部は第１解体ステップにおける第１解体対象領域を指定する工程と第１解体対象領域のトラス部材を除去する工程とを示す平面図である。
【図５】図５の（ａ）部は第１解体ステップにおける第２解体対象領域を指定する工程と第２解体対象領域のトラス部材を除去する工程とを示す平面図であり、図５の（ｂ）部は第２解体ステップにおける支持トラスを指定する工程を示す平面図である。
【図６】図６の（ａ）部は第２解体ステップにおける第１解体対象領域を指定する工程と第１解体対象領域のトラス部材を除去する工程とを示す平面図であり、図６の（ｂ）部は第２解体ステップにおける第２解体対象領域を指定する工程と第２解体対象領域のトラス部材を除去する工程とを示す平面図である。
【図７】図７の（ａ）部は第３解体ステップにおける支持トラスを指定する工程を示す平面図であり、図７の（ｂ）部は第３解体ステップにおける第１解体対象領域を指定する工程と第１解体対象領域のトラス部材を除去する工程とを示す平面図である。
【図８】図８の（ａ）部は第３解体ステップにおける第２解体対象領域を指定する工程と第２解体対象領域のトラス部材を除去する工程とを示す平面図であり、図８の（ｂ）部は第４解体ステップにおける支持トラスを指定する工程を示す平面図である。
【図９】図９の（ａ）部は第４解体ステップにおける第１解体対象領域を指定する工程と第１解体対象領域のトラス部材を除去する工程とを示す平面図であり、図９の（ｂ）部は第４解体ステップにおける第２解体対象領域を指定する工程と第２解体対象領域のトラス部材を除去する工程とを示す平面図である。
【図１０】図１０の（ａ）部は最終解体ステップにおける解体対象領域を指定する工程を示す平面図であり、図１０の（ｂ）部は最終解体ステップにおける解体対象領域のトラス部材を除去する工程を示す平面図である。
【発明を実施するための形態】
【００１２】
以下、添付図面を参照しながら本発明を実施するための形態を詳細に説明する。図面の説明において同一の要素には同一の符号を付し、重複する説明を省略する。
【００１３】
＜屋根構造体＞
本実施形態に係る解体方法は、図１に示されるスタジアムの可動式屋根といった大規模な屋根構造体を有する建物１の解体に用いられる。建物１は、支持構造体２と、屋根構造体３とを有する。屋根構造体３は、支持構造体２の間に架け渡されている。
【００１４】
支持構造体２は、屋根構造体３の荷重を支持するものである。この支持とは、屋根構造体３の質量に起因する鉛直方向の荷重や屋根構造体３の上に積もった雪による雪荷重といった屋根構造体３に積載する荷重などを支えるという意味である。従って、支持構造体２は、屋根構造体３の水平方向への移動を許容してもよい。また、支持構造体２は、屋根構造体３の移動を許さず、支持構造体２に屋根構造体３が固定されてもよい。
【００１５】
支持構造体２は、一対の壁構造体２Ａ，２Ｂを有する。壁構造体２Ａ，２Ｂは、Ｘ方向に沿って延びる。そして、一方の壁構造体２Ａは、他方の壁構造体２Ｂに対してＹ方向に離間している。壁構造体２Ａ，２Ｂの下端側は、地盤に埋め込まれるなどして固定され、地盤に対して略鉛直方向に延びている。壁構造体２Ａ，２Ｂの上端側には、屋根構造体３に連結される。
【００１６】
屋根構造体３は、壁構造体２Ａ，２Ｂの間に形成された所定の領域４を覆うように設けられ、日光や雨などを遮る。所定の領域４には、例えば、種々のスポーツ競技が行われるフィールド、航空機を整備するための駐機エリアなどがあり得る。このような用途に用いられる領域４には、支持柱といった支持構造体は基本的に配置されないが、本実施形態に係る解体方法は、支持構造体が配置された構造物にも適用可能である。
【００１７】
上述したように、屋根構造体３は、一方の壁構造体２Ａから他方の壁構造体２Ｂに亘ってアーチ状に掛け渡される。従って、屋根構造体３は、Ｙ−Ｚ平面に含まれる円弧状の断面を有し、当該円弧状の断面をＸ方向に掃引したような外形形状を有する。
【００１８】
屋根構造体３は、平面視して矩形状を有する。屋根構造体３は、支持辺部６と、自由辺部７と、を有する。支持辺部６は、Ｘ方向にそれぞれ延びている。すなわち、一対の支持辺部６は、壁構造体２Ａ，２Ｂと同じ方向に延びている。支持辺部６は、壁構造体２Ａ，２Ｂに対して連結されている。従って、支持辺部６は、構造上、壁構造体２Ａ，２Ｂから支持力が付与された単純支持端である。一対の自由辺部７は、一対の支持辺部６をそれぞれ連結するようにＹ方向に延びている。自由辺部７と地面との間には、壁構造体２Ａ，２Ｂのような支持構造体が配置されていない。従って、自由辺部７は、構造上、壁構造体２Ａ，２Ｂなどから支持力が付与されない自由端である。
【００１９】
建物１の解体方法は、屋根構造体３をＸ方向に沿って順次解体する。例えば、一方の自由辺部７から他方の自由辺部７に向かって解体作業を進める。そこで、説明の便宜上、屋根構造体３の解体を開始すると共に、解体が行われる辺部を作業辺部７Ａと呼び、解体作業において最後に残る辺部を後自由辺部７Ｂと呼ぶことにする。
【００２０】
屋根構造体３は、いわゆるトラス構造を有する構造体であり、当該トラス構造にシートといった膜状の部材が配置されて屋根が構成される。図２の（ａ）部は、上方から屋根構造体３を見下ろした簡易的な平面図であり、図２の（ｂ）部は屋根構造体３の正面図である。なお、図２は、壁構造体２Ａ，２Ｂ及び屋根構造体３におけるトラス構造を図示し、シートいった付随する構成要素の図示は省略している。
【００２１】
トラス構造は、複数のトラス部材（複数の構造部材）が組み合わされた三角形状の単位構造を有する。トラス構造は、これら単位構造が複数組み合わされて構成される。従って、屋根構造体３を微視的に見ると、複数の三角形の領域が確認できると共に、複数の四角形の領域も確認できる。一方、屋根構造体３を巨視的に見ると、複数の縦トラス８と、複数の横トラス９と、複数の斜めトラスＴ（支持部）とが確認できる。
【００２２】
縦トラス８は、Ｘ方向に延びており、Ｘ方向に平行に配置された複数のトラス部材Ｐの端部同士が連結されて構成される。従って、縦トラス８とは、一端８ａが作業辺部７Ａに含まれ、他端８ｂが後自由辺部７Ｂに含まれた長尺状を呈する。屋根構造体３は、２６本の縦トラス８を有する。これら縦トラス８は、Ｙ方向に所定の間隔を設けて複数配置され、互いに隣接する縦トラス８同士は横トラス９によって互いに連結される。
【００２３】
横トラス９は、Ｙ方向に延びており、Ｙ方向に平行に配置された複数のトラス部材Ｐの端部同士が連結されて構成される。従って、横トラス９とは、一端９ａが一方の支持辺部６Ａに含まれ、他端９ｂが他方の支持辺部６Ｂに含まれた長尺状を呈する。屋根構造体３は、１１本の横トラス９を有する。そして、横トラス９は、Ｘ方向に所定の間隔を設けて複数配置され、互いに隣接する横トラス９同士は縦トラス８によって互いに連結される。横トラス９の延びる方向をＹ方向としているが、正確にいえば横トラス９の延びる方向はＹ−Ｚ平面における円弧状である（図２の（ｂ）部参照）。以下の説明においては、アーチ状の屋根構造体３を平面視して解体方法を説明するので、横トラス９の延びる方向はＹ方向であるとする。
【００２４】
斜めトラスＴは、縦トラス８と横トラス９とにより形成される四角形状の領域において、対角同士を結ぶ複数のトラス部材Ｐにより構成される。斜めトラスＴは、Ｘ方向或いはＹ方向に所定の間隔を設けて複数配置されている。これら複数の斜めトラスＴには、例えば斜めトラスＴＲ１のように、その一端（支持端ＳＲ１）が支持辺部６Ａに含まれると共に他端（自由端ＳＲ１ａ）が後自由辺部７Ｂに含まれるものがある。このような斜めトラスＴを、以下の説明において支持トラスと呼ぶ。例えば、図２の（ａ）部において、右側の斜めトラスＴＲ１〜ＴＲ５は、それぞれの支持端ＳＲ１〜ＳＲ５が支持辺部６Ａに含まれるので支持トラスである。同様に、左側の斜めトラスＴＬ１〜ＴＬ５は、それぞれの支持端ＳＬ１〜ＳＬ５が支持辺部６Ｂに含まれるので支持トラスである。例えば、斜めトラスＴＮは、一端が作業辺部７Ａに含まれると共に他端が後自由辺部７Ｂに含まれており、いずれの端部も支持辺部に含まれないので、支持トラスではない。
【００２５】
なお、図１及び図２に示した屋根構造体３は、例示である、従って、本実施形態に係る解体方法が適用される屋根構造体は、図１及び図２に示した屋根構造体３に限定されない。
例えば、本実施形態に係る解体方法は、アーチ状の屋根構造体の解体に限定されることはなく、平板状であってもよい。
【００２６】
＜屋根構造体の解体方法＞
以下、図２に示したトラス構造を有する屋根構造体３を解体する工程について詳細に説明する。図３に示されるように、本実施形態に係る解体方法は、第１解体工程Ｓ１（ｎ）と、第２解体工程Ｓ２（ｎ）とを一つの解体ステップとして、当該解体ステップを繰り返し実施する。なお、ｎは１以上の整数であり、ステップの繰り返し数を示すものとする。例えば、第１解体工程Ｓ１（１）、第２解体工程Ｓ２（１）は、１回目の解体ステップを示す。また、第１解体工程Ｓ１（２）、第２解体工程Ｓ２（２）は、２回目の解体ステップを示す。
【００２７】
＜第１解体ステップ＞
まず第１解体工程Ｓ１（１）を実施する。第１解体工程Ｓ１（１）は、支持トラスを指定する工程Ｓ１ａ（１）と、第１解体対象領域を指定する工程Ｓ１ｂ（１）と、第１解体対象領域におけるトラス部材Ｐを取り除く工程Ｓ１ｃ（１）と、を有する。
【００２８】
図４の（ａ）部に示されるように、支持トラスを指定する（工程Ｓ１ａ（１））。斜めトラスＴＲ１を第１支持トラス（第１支持部）に指定し、斜めトラスＴＲ２を第２支持トラス（第２支持部）に指定する。第１支持トラスは、複数の支持端ＳＲ１〜ＳＲ５のうち、作業辺部７Ａに最も近い支持端ＳＲ１（第１支持端）を有する。従って、作業辺部７Ａ側からトラス部材を取り除いていくと、作業辺部７Ａに最も近い支持端を有する斜めトラスＴは、斜めトラスＴＲ１、斜めトラスＴＲ２、斜めトラスＴＲ３、斜めトラスＴＲ４、の順に変わっていく。第２支持トラスは、第１支持トラスよりも後自由辺部７Ｂ側に位置する。今、斜めトラスＴＲ１を第１支持トラスと指定したとき、斜めトラスＴＲ２，ＴＲ３，ＴＲ４，ＴＲ５のいずれか一つを第２支持トラスとして指定できる。ここでは、斜めトラスＴＲ１に隣接し、支持端ＳＲ２（第２支持端）を有する斜めトラスＴＲ２を第２支持トラスとして指定する。
【００２９】
次に、図４の（ｂ）部に示されるように、第１解体対象領域ＦＤ（１）を指定する（工程Ｓ１ｂ（１））。第１解体対象領域ＦＤ（１）は、第２支持トラスである斜めトラスＴＲ２の支持端ＳＲ２を含む仮想基準線Ｌ１と作業辺部７Ａとの間において、第１支持トラスである斜めトラスＴＲ１を含まないように指定される。より具体的には、第１解体対象領域ＦＤ（１）は、斜めトラスＴＲ１の支持端ＳＲ１を含まないように指定される。
【００３０】
次に、第１解体対象領域ＦＤ（１）におけるトラス部材を取り除く（工程Ｓ１ｃ（１））。具体的には、まず第１領域部Ｆ１（１）におけるトラス部材を全て取り除く。その後、第２領域部Ｆ２（１）におけるトラス部材Ｐを全て取り除く。ここで、第１解体対象領域ＦＤ（１）には、複数のトラス部材が存在する。トラス部材を取り除く場合には、例えば、第１解体対象領域ＦＤ（１）におけるトラス構造を保ったまま、一度に取り外してもよい。具体的には、第１解体対象領域ＦＤ（１）におけるトラス構造を保持した後に、第１解体対象領域ＦＤ（１）におけるトラス構造と第１解体対象領域ＦＤ（１）外のトラス構造を連結しているいくつかのトラス部材を切断することにより、第１解体対象領域ＦＤ（１）におけるトラス構造を取り外してもよい。また、第１解体対象領域ＦＤ（１）におけるトラス部材を、いくつかのトラス部材ごとに取り外してもよい。さらに、トラス部材を一つづつ取り外してもよい。このように、第１解体対象領域ＦＤ（１）におけるトラス部材を、分割して取り外す場合には、作業をより簡易に行うことができる。
【００３１】
第１解体対象領域ＦＤ（１）におけるトラス部材が取り除かれた状態において、斜めトラスＴＲ１〜ＴＲ５の支持端ＳＲ１〜ＳＲ５は、それぞれ壁構造体２Ａに連結される。また、斜めトラスＴＬ１〜ＴＬ５の支持端ＳＬ１〜ＳＬ５は、壁構造体２Ｂに連結される。従って、これらの斜めトラスＴＲ１〜ＴＲ５，ＴＬ１〜ＴＬ５がいわゆる火打ちの役割を果たすので屋根構造体３の強度低下を抑制している。
【００３２】
次に、第２解体工程Ｓ２（１）を実施する。第２解体工程Ｓ２（１）は、第２解体対象領域を指定する工程Ｓ２ａ（１）と、第２解体対象領域におけるトラス部材Ｐを取り除く工程Ｓ２ｂ（１）と、を有する。
【００３３】
図５の（ａ）部に示されるように、第２解体対象領域ＳＤ（１）を指定する（工程Ｓ２ａ（１））。第２解体対象領域ＳＤ（１）は、第１支持トラスである斜めトラスＴＲ１の一部を含む領域である。斜めトラスＴＲ１の一部とは、斜めトラスＴＲ１の支持端ＳＲ１である。
【００３４】
次に、第２解体対象領域ＳＤ（１）におけるトラス部材を取り除く（工程Ｓ２ｂ（１））。第２解体工程Ｓ２（１）において、当初の第１支持トラスに指定されていた斜めトラスＴＲ１は、その支持端ＳＲ１が取り除かれる。従って、支持端ＳＲ１が取り除かれた状態では、左側に配置された斜めトラスＴＬ１，ＴＬ２，ＴＬ３，ＴＬ４，ＴＬ５及び右側に配置された斜めトラスＴＲ２，ＴＲ３，ＴＲ４，ＴＲ５が支持トラスとなり屋根構造体３の強度低下を抑制している。
【００３５】
本実施形態に係る解体方法は、上述した第１解体工程Ｓ１（ｎ）と第２解体工程Ｓ２（ｎ）とを繰り返すことにより、屋根構造体３の解体作業を進める。解体作業が進むに従って、指定される支持トラス、第１解体対象領域ＦＤ（ｎ）、第２解体対象領域ＳＤ（ｎ）が都度指定される。以下、具体的な解体作業の進め方と、都度指定される支持トラス、第１解体対象領域ＦＤ（ｎ）、第２解体対象領域ＳＤ（ｎ）を示しながら本実施形態に係る解体方法をさらに説明する。
【００３６】
＜第２解体ステップ＞
第２解体ステップを実施する。第２解体ステップは、第１解体工程Ｓ１（２）と、第２解体工程Ｓ２（２）とを有する。
【００３７】
第１解体工程Ｓ１（２）を実施する。図５の（ｂ）部に示されるように、支持トラスを指定する（工程Ｓ１ａ（２））。図５の（ｂ）部に示された状態では、左側の支持端ＳＬ１〜ＳＬ５のうち、作業辺部７Ａに最も近いものは支持端ＳＬ１である。従って、支持端ＳＬ１を有する斜めトラスＴＬ１を第１支持トラスとして指定する。そして、斜めトラスＴＬ１よりも作業辺部７Ａから離れている斜めトラスＴＬ３を第２支持トラスとして指定する。第２支持トラスとして斜めトラスＴＬ３を指定することにより、斜めトラスＴＬ３の支持端ＳＲ３を通る仮想基準線Ｌ２が決まる。
【００３８】
図６の（ａ）部に示されるように、第１解体対象領域ＦＤ（２）を指定する（工程Ｓ１ｂ（２））。第１解体対象領域ＦＤ（２）は、仮想基準線Ｌ２と作業辺部７Ａとの間において、第１支持トラスである斜めトラスＴＬ１を含まないように指定される。より具体的には、第１解体対象領域ＦＤ（２）は、斜めトラスＴＬ１の支持端ＳＬ１を含まないように指定される。次に、第１解体対象領域ＦＤ（２）におけるトラス部材Ｐを取り除く（工程Ｓ１ｃ（２））。具体的には、まず第１領域部Ｆ１（２）におけるトラス部材Ｐを全て取り除く。その後、第２領域部Ｆ２（２）におけるトラス部材Ｐを全て取り除く。最後に、第３領域部Ｆ３（２）におけるトラス部材Ｐを全て取り除く。
【００３９】
次に、第２解体工程Ｓ２（２）を実施する。図６の（ｂ）部に示されるように、第２解体対象領域ＳＤ（２）を指定する（工程Ｓ２ａ（２））。第２解体対象領域ＳＤ（２）は、第１支持トラスである斜めトラスＴＬ１の一部を含む領域である。斜めトラスＴＬ１の一部とは、具体的には斜めトラスＴＬ１の支持端ＳＬ１である。次に、第２解体対象領域ＳＤ（２）におけるトラス部材を取り除く（工程Ｓ２ｂ（２））。第２解体工程Ｓ２（２）において、当初の第１支持トラスに指定されていた斜めトラスＴＬ１は、その支持端ＳＬ１が取り除かれる。従って、図６の（ｂ）部に示された状態では、右側に配置された斜めトラスＴＲ２，ＴＲ３，ＴＲ４，ＴＲ５及び左側に配置された斜めトラスＴＬ２，ＴＬ３，ＴＬ４，ＴＬ５が支持トラスとなり屋根構造体３の強度低下を抑制している。
【００４０】
＜第３解体ステップ＞
第３解体ステップを実施する。第３解体ステップは、第１解体工程Ｓ１（３）と、第２解体工程Ｓ２（３）とを有する。
【００４１】
第１解体工程Ｓ１（３）を実施する。図７の（ａ）部に示されるように、支持トラスを指定する（工程Ｓ１ａ（３））。図７の（ａ）部に示された状態では、左側の支持端ＳＬ２〜ＳＬ５のうち、作業辺部７Ａに最も近いものは支持端ＳＬ２である。従って、支持端ＳＬ２を有する斜めトラスＴＬ２を第１支持トラスとして指定する。そして、斜めトラスＴＬ２よりも作業辺部７Ａから離れている斜めトラスＴＬ５を第２支持トラスとして指定する。第２支持トラスとして斜めトラスＴＬ５を指定することにより、斜めトラスＴＬ５の支持端ＳＬ５を通る仮想基準線Ｌ３が決まる。
【００４２】
図７の（ｂ）部に示されるように、第１解体対象領域ＦＤ（３）を指定する（工程Ｓ１ｂ（３））。第１解体対象領域ＦＤ（３）は、仮想基準線Ｌ３と作業辺部７Ａとの間において、第１支持トラスである斜めトラスＴＬ２を含まないように指定される。より具体的には、第１解体対象領域ＦＤ（３）は、斜めトラスＴＬ２の支持端ＳＬ２を含まないように指定される。次に、第１解体対象領域ＦＤ（３）におけるトラス部材を取り除く（工程Ｓ１ｃ（３））。具体的には、まず、第１解体対象領域ＦＤ（３）を複数の領域部である第１領域部Ｆ１（３）〜第１５領域部Ｆ１５（３）に分割する。そして、第１領域部Ｆ１（３）〜第１５領域部Ｆ１５（３）の順に、それぞれの領域部におけるトラス部材を取り除く。ここで、第１０領域Ｆ１０（３）は、第１支持トラスである斜めトラスＴＬ２と作業辺部７Ａとの間に形成される領域部（第３領域部）である。この支持端ＳＬ２周辺の第１０領域Ｆ１０（３）を取り除くことにより、支持端ＳＬ２に余分な力がかからなくなり、安定してアーチトラスを支持することができる。
【００４３】
次に、第２解体工程Ｓ２（３）を実施する。図８の（ａ）部に示されるように、第２解体対象領域ＳＤ（３）を指定する（工程Ｓ２ａ（３））。第２解体対象領域ＳＤ（３）は、第１支持トラスである斜めトラスＴＬ２の一部を含む領域である。斜めトラスＴＬ２の一部とは、具体的には斜めトラスＴＬ２の支持端ＳＬ２である。次に、第２解体対象領域ＳＤ（３）におけるトラス部材を取り除く（工程Ｓ２ｂ（３））。第２解体工程Ｓ２（３）において、当初の第１支持トラスに指定されていた斜めトラスＴＬ２は、その支持端ＳＬ２が取り除かれる。従って、図８の（ａ）部に示された状態では、右側に配置された斜めトラスＴＲ２，ＴＲ３，ＴＲ４，ＴＲ５及び左側に配置された斜めトラスＴＬ３，ＴＬ４，ＴＬ５が支持トラスとなり屋根構造体３の強度低下を抑制している。
【００４４】
＜第４解体ステップ＞
第４解体ステップを実施する。第４解体ステップは、第１解体工程Ｓ１（４）と、第２解体工程Ｓ２（４）とを有する。
【００４５】
第１解体工程Ｓ１（４）を実施する。図８の（ｂ）部に示されるように、支持トラスを指定する（工程Ｓ１ａ（４））。図８の（ｂ）部に示された状態では、右側の支持端ＳＲ２〜ＳＲ５のうち、作業辺部７Ａに最も近いものは支持端ＳＲ２である。従って、支持端ＳＲ２を有する斜めトラスＴＲ２を第１支持トラスとして指定する。そして、斜めトラスＴＲ２よりも作業辺部７Ａから離れている斜めトラスＴＲ５を第２支持トラスとして指定する。第２支持トラスとして斜めトラスＴＲ５を指定することにより、斜めトラスＴＲ５の支持端ＳＲ５を通る仮想基準線Ｌ４が決まる。
【００４６】
図９の（ａ）部に示されるように、第１解体対象領域ＦＤ（４）を指定する（工程Ｓ１ｂ（４））。第１解体対象領域ＦＤ（４）は、仮想基準線Ｌ４と作業辺部７Ａとの間において、第１支持トラスである斜めトラスＴＲ２を含まないように指定される。より具体的には、第１解体対象領域ＦＤ（４）は、斜めトラスＴＲ２の支持端ＳＲ２を含まないように指定される。次に、第１解体対象領域ＦＤ（４）におけるトラス部材を取り除く（工程Ｓ１ｃ（４））。
【００４７】
次に、第２解体工程Ｓ２（４）を実施する。図９の（ｂ）部に示されるように、第２解体対象領域ＳＤ（４）を指定する（工程Ｓ２ａ（４））。第２解体対象領域ＳＤ（４）は、第１支持トラスである斜めトラスＴＲ２の一部を含む領域である。斜めトラスＴＲ２の一部とは、具体的には斜めトラスＴＲ２の支持端ＳＲ２である。次に、第２解体対象領域ＳＤ（４）におけるトラス部材を取り除く（工程Ｓ２ｂ（４））。第２解体工程Ｓ２（４）において、当初の第１支持トラスに指定されていた斜めトラスＴＲ２は、その支持端ＳＲ２が取り除かれる。従って、図９の（ｂ）部に示された状態では、右側に配置された斜めトラスＴＲ３，ＴＲ４，ＴＲ５及び左側に配置された斜めトラスＴＬ３，ＴＬ４，ＴＬ５が支持トラスとなり屋根構造体３の強度低下を抑制している。また、一面となった垂直トラスである横トラス９がアーチ効果を奏するので、たわみの発生が抑制される。
【００４８】
＜最終解体ステップ＞
図１０の（ａ）部に示されるように、最終解体ステップでは、解体対象領域部Ｎ１〜解体対象領域部Ｎ８の順に、それぞれの領域部におけるトラス部材を取り除く。
【００４９】
図１０の（ｂ）部に示されるように、第１解体ステップから第４解体ステップまで繰り返し実施した後に、最終解体ステップを実施することにより、屋根構造体３の解体が完了する。
【００５０】
ところで、ドーム型の屋根構造体３を解体する場合、ドーム屋根の外周部から一方向に向かって順次解体する方法が一般的である。しかし、この方法では、未解体部分の安定性が損なわれる可能性がある。そこで、本発明者らが鋭意検討したところ、図２に示される屋根構造体３は、縦トラス８及び横トラス９に加えて、さらに斜めトラスＴも有する。このうち、横トラス９及び斜めトラスＴはアーチ効果を有し、屋根構造体３の強度に寄与している。そこで、発明者らは、横トラス９のアーチ効果と斜めトラスＴの支持端ＳＲ，ＳＬとに注目した。具体的には、斜めトラスＴをできるだけ有効に残しながら（すなわち、支持端ＳＲ，ＳＬができるだけ多くなるように）、その内側のトラス部材を取り除いていく。この方法によれば、斜めトラスＴで未解体の屋根構造体３を支持しながら（未解体部分の屋根を自立させながら）横トラス９を作業辺部７Ａから順に解体することが可能になる。
【００５１】
上述した解体方法によれば、第１解体対象領域のトラス部材を取り除くことにより、支持端ＳＬ，ＳＲに作用する負荷が低減される。基礎部分の不安定さを解消する。さらに、斜めトラスＴが火打ちの役割を奏するので、アーチトラス屋根を解体の最終段階まで安定性を維持できる。具体的には、解体方法は、２個以上の支持端ＳＬ，ＳＲによって解体の最終段階までトラス構造の全体を支持しながら、解体作業を進めることができる。従って、屋根構造体３のバランスを維持しながら解体作業を進めることができる。また、解体方法によれば、支持端ＳＬ，ＳＲのトラス構造の軽量化を図りながら、支持端ＳＬ，ＳＲに作用する荷重の低減が図られる。さらに、斜めトラスＴが火打ちの役割を果たすので、一面トラス構造のたわみが抑制されて屋根構造体３を自立させることができ、引っ張り荷重にも対抗するため傾きの発生を抑制しさらに安定性を維持することができる。そして、最終の一面トラスを解体する場合、手前（又は後方）に引っ張ることにより斜めトラスＴが折れ点となるので、安定して解体することができる。
【００５２】
要するに、本実施形態に係る解体方法は、屋根構造体３を構成する各トラス部材を除去するに際し、斜めトラスＴＲ１〜４，ＴＬ１〜４をいわゆる火打ちとして機能させることにより、解体中の屋根構造体３の強度低下を抑制するものである。まず、屋根構造体３の強度への寄与度が高い領域のトラス部材（すなわち支持トラス）を残すようにトラス部材Ｐを取り除く。そうすると、取り除いたトラス部材Ｐだけ屋根構造体３が軽くなる。屋根構造体３の質量が減少すると、取り除いても差支えがない支持トラスが現れる。そこで差支えがない支持トラスを除去することができる。これらの工程を繰り返し行うことにより、屋根構造体３への強度低下を抑制しながら解体作業を進めることが可能になる。ひいては、解体に要する費用を低減し且つ工期の短縮を図りつつ、安全性を確保できる。
【００５３】
以上、本発明をその実施形態に基づいて詳細に説明した。しかし、本発明は上記実施形態に限定されるものではない。本発明は、その要旨を逸脱しない範囲で様々な変形が可能である。
【００５４】
例えば、解体方法の適用は、トラス構造を有する屋根構造体に限定されない。アーチ効果を有する構造（例えば鉄筋コンクリート）を有する屋根構造体にも適用可能である。さらに、上記実施形態では、支持構造体として壁構造体を例示したが、支持構造体は壁構造体に限定されることはない。支持構造体は、屋根構造体を支持するものであれば特に限定はされず、例えば柱構造体などであってもよい。そのうえ、上記実施形態では、屋根構造体がトラス構造にシートといった膜状の部材を配置した構成として説明した。しかし、解体方法は、トラス構造を有している屋根構造体に対して適用可能であるので、例えばシートといった膜状の部材に代えて、金属製の屋根板が取り付けられたものであってもよい。
【００５５】
また、上記実施形態では、当初の屋根構造体が、一対の支持辺部６と一対の自由辺部７とを有するものを例示した。本発明に係る解体方法の適用は、このような屋根構造体に限定されない。例えば、屋根構造体は、平面視して矩形状であって、四個の辺のうち、三辺が支持辺部であり、一辺が自由辺部であってもよい。また、屋根構造体は、平面視して矩形状であって、四個の辺のうち、全ての辺が支持辺部であってもよい。
【００５６】
本発明に係る解体方法は、第１解体工程の後に第２解体工程を実施するものであればよく、上述した解体の順番に限定されない。
【００５７】
例えば、第１解体対象領域ＦＤ（１）におけるトラス部材を取り除いた後に、第１解体対象領域ＦＤ（２）におけるトラス部材を取り除く。その後に、第２解体対象領域ＳＤ（１）におけるトラス部材を取り除いた後に第２解体対象領域ＳＤ（２）におけるトラス部材を取り除いてもよい。この場合にも、第１解体工程（第１解体対象領域ＦＤ（１）及び第１解体対象領域ＦＤ（２）におけるトラス部材を取り除く工程）の後に、第２解体工程（第２解体対象領域ＳＤ（１）及び第２解体対象領域ＳＤ（２）におけるトラス部材を取り除く工程）を実施することになる。
【００５８】
また、第１解体対象領域ＦＤ（１）におけるトラス部材を取り除いた後に、第２解体対象領域ＳＤ（１），ＳＤ（２）におけるトラス部材を取り除いてもよい。この場合にも、第１解体工程（第１解体対象領域ＦＤ（１）におけるトラス部材を取り除く工程）の後に、第２解体工程（第２解体対象領域ＳＤ（１），ＳＤ（２）におけるトラス部材を取り除く工程）を実施することになる。
【符号の説明】
【００５９】
１…建物、２…支持構造体、３…屋根構造体、２Ａ…壁構造体、２Ｂ…壁構造体、６，６Ａ，６Ｂ…支持辺部、７…自由辺部、７Ａ…作業辺部、７Ｂ…後自由辺部、８…縦トラス、９…横トラス、Ｔ，ＴＲ１，ＴＲ２，ＴＲ３，ＴＲ４，ＴＲ５，ＴＬ１，ＴＬ２，ＴＬ３，ＴＬ４，ＴＬ５，ＴＮ…斜めトラス（支持部）、Ｐ…トラス部材（構造部材）、ＳＲ１，ＳＲ２，ＳＲ３，ＳＲ４，ＳＲ５，ＳＬ１，ＳＬ２，ＳＬ３，ＳＬ４，ＳＬ５…支持端、ＦＤ…第１解体対象領域、ＳＤ…第２解体対象領域、Ｌ１，Ｌ２，Ｌ３，Ｌ４…仮想基準線。
【図１】
2018150753.tif 000003
【図２】
2018150753.tif 000004
【図３】
2018150753.tif 000005
【図４】
2018150753.tif 000006
【図５】
2018150753.tif 000007
【図６】
2018150753.tif 000008
【図７】
2018150753.tif 000009
【図８】
2018150753.tif 000010
【図９】
2018150753.tif 000011
【図１０】
2018150753.tif 000012